(57)【要約】【課題】ガス流量の逆流を検知し、逆流量を積算することを防止すること。【解決手段】流量信号発生部６から出力される正電圧信号もしくは負電圧信号の出力順が予め決められた出力順ではない時、流量の逆流を検知する逆流量検出部９により、ガス流量の逆流時に各流量センサＡ４，Ｂ５から発生する電圧の順番が、正方向への流量時に発生する電圧の順番と異なるため、逆流を検知することができ、逆流時のガス流量を積算しないことにより正確なガス流量積算値を得ることができる。【選択図】図１
2007071558.tif 000002
【特許請求の範囲】
【請求項１】
ガス流路を通過するガスの流量に応じて、循環軌道を廻り、循環軌道をｎ分割した各分割領域にＳ極性と、Ｎ極性の磁石を交互に配置した磁石ユニットと、大バルクハウゼン効果を有する鉄心内の磁界が反転する毎に正電圧および負電圧を出力する流量センサと、前記流量センサｍ個を前記磁石ユニットのｎ分割上に配置し、そのうちの少なくとも１つは前記磁石ユニットのｎ／２分割上に配置し、各流量センサから出力される正電圧を検出すると正電圧信号を出力し、負電圧を検出すると負電圧信号を出力する流量信号発生部と、前記流量発生部から出力される正電圧信号もしくは負電圧信号によりガスの流量を演算判定する流量判定部と、ガス流量を積算する積算部と、前記流量判定部から出力されるガス流量があらかじめ定められたガス流量を越えた時、流量の異常を判定してガス漏れを警報あるいは遮断信号を出力する警報部と、前記流量発生部から出力される正電圧信号もしくは負電圧信号の出力順が反転したとき、流量の逆流を検知する逆流量検出部とを有したガス遮断装置。
【発明の詳細な説明】
【技術分野】
【０００１】
本発明は、ガスメータ以後のガス使用時に、ガス使用上の安全を図るガス遮断装置に関するものである。
【背景技術】
【０００２】
従来この種のガス遮断装置について、図４は特許文献１に記載された従来のガス遮断装置である。図４に示すように通過流量を計測する膜式の計量部に連動して回転する回転体５に取り付けられた永久磁石４の通過位置に臨んで設けたリードスイッチ１６のオン・オフ動作を流量検出回路１４で電気的信号に変換する。流量検出回路１７は電池１の電圧を抵抗１８ａと抵抗１８ｂで分圧した流量信号電圧を出力する。流量検出回路１７からのオン・オフ流量信号を受取るマイクロコンピューター１２で構成される。マイクロコンピューター１２はガス流量の流量値や漏洩等を監視し、異常時には遮断弁駆動回路３を介して遮断弁２を遮断し、表示部１３で警報するように構成されており、これらの電源は電池１から供給するよう構成されている。
【特許文献１】特開２００３−１２１２１４号公報
【発明の開示】
【発明が解決しようとする課題】
【０００３】
しかしながら、従来のガス遮断装置では、ガスメータ下流側の温度上昇等でガス流量が逆方向に流れた場合でも、リードスイッチが永久磁石の磁界でオン・オフする構成なので、ガス流量を積算してしまい、実ガス使用量より積算値が増加してしまう等の課題を有していた。
【課題を解決するための手段】
【０００４】
ガス流路を通過するガスの流量に応じて、循環軌道を廻り、循環軌道をｎ分割した各分割領域にＳ極性と、Ｎ極性の磁石を交互に配置した磁石ユニットと、大バルクハウゼン効果を有する鉄心内の磁界が反転する毎に正電圧および負電圧を出力する流量センサと、前記流量センサｍ個を前記磁石ユニットのｎ分割上に配置し、そのうちの少なくとも１つは前記磁石ユニットのｎ／２分割上に配置し、各流量センサから出力される正電圧を検出すると正電圧信号を出力し、負電圧を検出すると負電圧信号を出力する流量信号発生部と、前記流量信号発生部から出力される正電圧信号もしくは負電圧信号によりガスの流量を演算判定する流量判定部と、ガス流量を積算する積算部と、前記流量判定部から出力されるガス流量があらかじめ定められたガス流量を越えた時、流量の異常を判定してガス漏れを警報あるいは遮断信号を出力する警報部と、前記流量信号発生部から出力される正電圧信号もしくは負電圧信号の出力順が予め決められた出力順ではない時、流量の逆流を検知する逆流量検出部とを有したガス遮断装置を有するガス遮断装置である。
【０００５】
上記によれば、ガス流量の逆流時に各流量センサから発生する電圧の順番が、正方向への流量時に発生する電圧の順番と異なるため、逆流を検知することができ、逆流時のガス流量を積算しないことにより正確なガス流量積算値を得ることができる。
【発明の効果】
【０００６】
本発明のガス遮断装置は、ガス流路を通過するガスの流量に応じて、循環軌道を廻り、循環軌道をｎ分割した各分割領域にＳ極性と、Ｎ極性の磁石を交互に配置した磁石ユニットと、大バルクハウゼン効果を有する鉄心内の磁界が反転する毎に正電圧および負電圧を出力する流量センサと、流量センサｍ個を磁石ユニットのｎ分割上に配置し、そのうちの少なくとも１つは磁石ユニットのｎ／２分割上に配置し、各流量センサから出力される正
電圧を検出すると正電圧信号を出力し、負電圧を検出すると負電圧信号を出力する流量信号発生部と、流量信号発生部から出力される正電圧信号もしくは負電圧信号によりガスの流量を演算判定する流量判定部と、ガス流量を積算する積算部と、流量信号発生部から出力される正電圧信号もしくは負電圧信号の出力順が予め決められた出力順ではない時、流量の逆流を検知する逆流量検出部により、ガス流量の逆流時に各流量センサから発生する電圧の順番が、正方向への流量時に発生する電圧の順番と異なるため、逆流を検知することができ、逆流時のガス流量を積算しないことにより正確なガス流量積算値を得ることができる。
【発明を実施するための最良の形態】
【０００７】
第１の発明は、ガス流路を通過するガスの流量に応じて、循環軌道を廻り、循環軌道をｎ分割した各分割領域にＳ極性と、Ｎ極性の磁石を交互に配置した磁石ユニットと、大バルクハウゼン効果を有する鉄心内の磁界が反転する毎に正電圧および負電圧を出力する流量センサと、流量センサｍ個を磁石ユニットのｎ分割上に配置し、そのうちの少なくとも１つは磁石ユニットのｎ／２分割上に配置し、各流量センサから出力される正電圧を検出すると正電圧信号を出力し、負電圧を検出すると負電圧信号を出力する流量信号発生部と、流量信号発生部から出力される正電圧信号もしくは負電圧信号によりガスの流量を演算判定する流量判定部と、ガス流量を積算する積算部と、流量信号発生部から出力される正電圧信号もしくは負電圧信号の出力順が予め決められた出力順ではない時、流量の逆流を検知する逆流量検出部を有するガス遮断装置である。
【０００８】
上記によれば、ガス流量の逆流時に各流量センサから発生する電圧の順番が、正方向への流量時に発生する電圧の順番と異なるため、逆流を検知することができ、逆流時のガス流量を積算しないことにより正確なガス流量積算値を得ることができる。
【０００９】
以下、本発明の実施の形態について、図面を参照しながら説明する。尚、この実施の形態によって本発明が限定されるものではない。
【００１０】
（実施の形態１）
図１は本発明の実施の形態１のガス遮断装置の構成図である。図２は本発明の実施例１の磁石ユニットの上面図である。
【００１１】
同図において、ガス流路１を通過するガスの流量に応じて、循環軌道を廻り、循環軌道をｎ分割した各分割領域にＳ極性と、Ｎ極性の磁石２を交互に配置した磁石ユニット３と、大バルクハウゼン効果を有する鉄心内の磁界が反転する毎に正電圧および負電圧を出力する流量センサＡ４、Ｂ５と、流量センサＡ４を磁石ユニットの８分割上に配置し、流量センサＢ５は磁石ユニット３の１６分割上に配置し、流量センサＡ４、Ｂ５から出力される正電圧を検出すると正電圧信号ａを出力し、負電圧を検出すると負電圧信号ｂを出力する流量信号発生部６と、流量信号発生部６から出力される正電圧信号ａもしくは負電圧信号ｂによりガスの流量を演算判定する流量判定部７と、ガス流量を積算する積算部８と、流量信号発生部６から出力される正電圧信号ａもしくは負電圧信号ｂの出力順が予め決められた出力順ではない時、流量の逆流を検知する逆流量検出部９である。
【００１２】
流量判定部７から出力されるガス流量をあらかじめ定められたガス流量を越えた時、流量の異常を判定して警報信号ｃを警報器１０、あるいは遮断信号ｄを遮断弁１１に出力する警報器１２である。
【００１３】
図３はガスが正方向に流れている場合の流量センサＡ４、Ｂ５の正負電圧の発生状態図である。また、区間Iはガス流量なし、区間IIは正方向へのガス流量あり、区間IIIは逆方向へのガス流量あり、区間IVは正方向へのガス流量ありである。
【００１４】
区間Iにおいて、ガス流量がないため流量センサＡ４、Ｂ５は電圧を発生しない。
【００１５】
区間IIにおいて、ガス流量が正方向に流れている時はまず流量センサＡ４が正電圧を発生させ、続いて流量センサＢ５が正電圧を発生させる。そして、同様に流量センサＡ４が負電圧を発生させ、続いて流量センサＢ５が負電圧を発生させる。
【００１６】
このように、流量センサＡ４が電圧を発生させた後は必ず流量センサＢ５が電圧を発生させることを繰り返し、同一の流量センサからの電圧が連続して発生することはなく、２つの流量センサから交互に電圧が発生する。
【００１７】
区間IIIにおいてガス流量が逆方向に流れたときは、区間IIの最後に電圧を発生した流量センサＡ４の次に流量センサＢ５の電圧が発生せずに、再び流量センサＡ４から電圧が出力されることで、流量センサＡ４の電圧発生が連続する。これは流量センサＡ４に対して、流量センサＢ５が１／１６分割だけずれて配置されているからである。
【００１８】
このときの流量信号発生部６からの電圧信号により逆流量検出部９は積算部８に逆流量検出信号ｅを出力する。逆流量検出信号ｅを受け取った積算部８は、それ以降のガス積算を停止する。
【００１９】
区間IVにおいて、ガス流量が逆方向から正方向に変化した場合、区間IIIの最後に電圧発生した流量センサＡ４の次に流量センサＢ５の電圧が発生せず、再び流量センサＡ４から電圧が発生されることで流量センサＡ４の電圧発生が連続する。
【００２０】
このときの流量信号発生部６からの電圧信号により、逆流量検出部９は積算部８に逆流量解除信号ｆを出力する。逆流量解除信号ｆを受け取った積算部８は再び積算を開始する。
【００２１】
上記のようにガス流量が逆方向に流れた区間を検出し、逆流量を積算しないことにより、ガス流量を正確に測定することができる。
【００２２】
また、逆流量検出信号ｅは逆流量検出時から出力をし続け、逆流量解除時に出力信号を停止させる形態をとることもできる。
【００２３】
そして、積算部８は逆流量時を含めたすべての流量信号を積算し、逆流量解除時にすべての積算値から逆流量積算値を除算する形態をとることもできる。
【産業上の利用可能性】
【００２４】
以上のように、本発明にかかるガス遮断装置は、ガス流量の逆流時に各流量センサから発生する電圧の順番が、正方向への流量時に発生する電圧の順番と異なるため、逆流を検知することができ、逆流時のガス流量を積算しないことにより正確なガス流量積算値を得ることができるので、磁界の変化により流量を測定する水道メータや電気メータ等の計量器の用途にも適用できる。
【図面の簡単な説明】
【００２５】
【図１】本発明の実施例１の流量検出装置の構成図
【図２】同装置の磁石ユニットの構成図
【図３】正負電圧発生状態図
【図４】従来のガスメータ流量検出装置の構成図
【符号の説明】
【００２６】
１  ガス流路
２  磁石
３  磁石ユニット
４  流量センサＡ
５  流量センサＢ
６  流量信号発生部
７  流量判定部
８  積算部
９  逆流量検出部
１０  警報部
１１  遮断弁
１２  警報部
ａ  正電圧信号
ｂ  負電圧信号
ｃ  警報信号
ｄ  遮断信号
ｅ  逆流量検出信号
ｆ  逆流量解除信号
【図１】
2007071558.tif 000003
【図２】
2007071558.tif 000004
【図３】
2007071558.tif 000005
【図４】
2007071558.tif 000006